(57)【特許請求の範囲】
【請求項１】
回転式ラッチ（１）と爪部（２）とを備えるロック機構（１、２）を有し、さらに当該ロック機構（１、２）の解除要素（３）と保留要素（４）とを有し、前記回転式ラッチ（１）の閉位置から開位置への障害のない開動作を確保する、自動車ドアロックであって、
前記回転式ラッチ（１）の前記開動作の間、前記解除要素（３）が前記ロック機構（１、２）から解除される位置に前記保留要素（４）が前記解除要素（３）を保持し、
前記爪部（２）には、前記回転式ラッチ（１）の係合解除位置の方向に予め張力がかけられることを特徴とする、自動車ドアロック。
【請求項２】
前記保留要素（４）が前記解除要素（３）に接続されることを特徴とする、請求項１に記載の自動車ドアロック。
【請求項３】
前記回転式ラッチ（１）の前記開動作の間、前記保留要素（４）が保留域（１０）に付置されることを特徴とする、請求項１〜２のいずれか１項に記載の自動車ドアロック。
【請求項４】
前記保留域（１０）が前記回転式ラッチ（１）上に設けられることを特徴とする、請求項３に記載の自動車ドアロック。
【請求項５】
前記保留要素（４）が前記保留域（１０）と相互に作用するタペット（１２）を含むことを特徴とする、請求項３または４に記載の自動車ドアロック。
【請求項６】
前記タペット（１２）と前記保留域（１０）とが、対応する傾斜面（１３、１４）を含むことを特徴とする、請求項５に記載の自動車ドアロック。
【請求項７】
前記タペット（１２）が、前記保留域（１０）に係合する戻り止め位置から、前記保留域（１０）に沿って摺動する解除位置に移動され得ることを特徴とする、請求項５または６に記載の自動車ドアロック。
【請求項８】
前記保留域（１０）が、前記回転式ラッチ（１）の回転軸線（１１）からの距離に適合された半径（Ｒ）を有するアーチ形状であることを特徴とする、請求項３〜７のいずれか１項に記載の自動車ドアロック。
【請求項９】
前記保留域（１０）が、前記回転式ラッチ（１）の回転軸線（１１）からの距離に適合された半径（Ｒ）を有するアーチ形状であり、１２０度未満の角度で延び広がっていることを特徴とする、請求項３〜７のいずれか１項に記載の自動車ドアロック。
【請求項１０】
前記爪部（２）と相互に作用する阻止レバー（６）が、前記解除要素（３）に付置されることを特徴とする、請求項１〜９のいずれか１項に記載の自動車ドアロック。
【発明の詳細な説明】
【技術分野】
【０００１】
本発明は、実質的に回転式ラッチと爪部とを備えるロック機構を有し、併せてロック機構の解除要素と保留要素とを備え、回転式ラッチの閉位置から開位置への障害のない開動作を確保する、自動車ドアロックに関する。
【背景技術】
【０００２】
上記の設計の、また独国特許出願公開第１０  ２００６  ０３２  ０３３号明細書（Ａ１）に開示されているような自動車ドアロックにおいて、保留要素は、保留位置にあるとき、回転式ラッチが回転してその閉位置を脱け出し初期施錠位置を通り過ぎるまで、爪部がその解除位置を保っていることを確実にする。この目的のために、保留要素は解除要素に付置される支持部を含んでおり、解除要素が作動すると、保留位置に到達するために回転式ラッチの保留域の前方に移動する。いったん初期施錠位置を通り過ぎると、この保留域から再び退出させられる。こうして保留要素は、回転式ラッチの開動作中に爪部が意図せず回転式ラッチと（再び）係合し得るのを防ぐ。そのような動作状態は、例えば、後尾扉に起こり得ることで、例えば、後尾扉が雪荷重で覆われる事態が発生した場合に起こり得る。
【０００３】
独国特許発明第４０  ４２  ６７８号明細書（Ｃ２）による自動車ドアクロージャにおいて、保留レバーは、保留要素としてトリガレバーに付置される。保留要素が保留位置にある状態では、各自動車ドアを手動で開くことで回転式ラッチが完全に開かれるまで、爪部は開位置に保持される。この態様において、例えば、自動車ドアの開扉が遠隔で作動されたが完全には実行されなかった場合、爪部は、回転式ラッチに（再び）係合することを阻止され、ドアは（もはや）開かれないことを確実にするべきである。そのような動作状態は、遠隔操作開扉信号の後に爪部の係合を解くための電動式駆動装置がその基本位置に戻ってしまった場合に起こり得る。
【０００４】
先行技術実施形態の態様のすべてが十分なわけではない。独国特許発明第４０  ４２  ６７８号明細書（Ｃ２）に開示されている設計は数多くのレバーを用いており、比較的複雑である。独国特許出願公開第１０  ２００６  ０３２  ０３３号明細書（Ａ１）はその点、すでに保留要素が解除要素に付置される支持部を含んでいることで簡素化されている。しかしながらこの保留要素は、爪部をその解除位置に保持するために爪部に作用し続けている。なんらかの状況で保留要素の機能性が損なわれるとすぐに、爪部が回転式ラッチと係合し続ける可能性があり、誤作動を危惧せねばならない。本発明はそれを改善することを目的とする。
【発明の概要】
【発明が解決しようとする課題】
【０００５】
本発明は、簡素な設計を用いながら、最大限可能な信頼性をもたらすような態様で、前述の自動車ドアロックをさらに発展させるという技術的課題に基づいている。
【課題を解決するための手段】
【０００６】
この技術的課題を解決するために、本発明の包括的な自動車ドアロックは、回転式ラッチの開動作の間、保留要素が解除要素をロック機構に対して無効な位置に保持することを特徴としている。
【０００７】
開示された先行技術、例えば独国特許出願公開第１０  ２００６  ０３２  ０３３号明細書（Ａ１）、とは対照的に、保留要素は爪部に作用せず、代わりに解除要素に作用する。その保留要素は、回転式ラッチの開動作の間、解除要素がロック機構に対して無効な位置に保持されることを確実にする。換言すれば、保留要素は実質的に解除要素に作用し、爪部には作用しない。
【０００８】
この配置において、爪部が回転式ラッチに自動的に係合しないことを確実にするために、爪部に係合解除位置の方向に有利に予め張力をかける（予張力を付与する）。このことは一般的に、爪部に付置されるバネによって確保され、その結果、爪部は回転式ラッチとの係合領域外に保たれることになる。この態様において、特に信頼性の高い機能的な構成が簡素な設計と共にもたらされる。その選択された予張力によって、爪部はそのような回転式ラッチとの相互作用ができない。すなわち爪部に付置される阻止レバーが爪部に作用するときにのみ、それに従って主要な施錠位置で係合できるように、または回転式ラッチの主要な掛止端面と相互に作用できるようになっている。
【０００９】
他のあらゆる場合において、回転式ラッチは多少なりとも爪部から係合を解かれている。加えて、保留要素が解除要素をその無効な位置に保持するため、回転式ラッチは基本的に機械的影響がない状態で開動作を行う。したがって、この回転式ラッチの閉位置から開位置への開動作に意図しない妨げや障害は、原理上すでに起こり得ないことになる。結果的に、先行技術実施形態と比べて、機能的信頼性は大幅に高くなっている。
【００１０】
さらなる利点は、保留要素が有利に解除要素に接続しており、保留域と常に相互作用するため、設計が特に簡素なことである。この保留域は回転式ラッチ上に設けることができる。このことは、保留要素を効果的にするには保留要素が保留域に支えられて収まり、保留域に沿って滑動するだけでよいことを意味する。そうしてこの態様において、保留要素に接続された解除要素は、ロック機構に対してその無効な位置に保持される。このことは、いかなる場合も、保留域に沿った保留要素の全経路に当てはまる。
【００１１】
この目的のために、保留要素は、保留域と相互に作用するタペットを有利に含む。そのタペットと保留域とは、通常、対応する傾斜面を含む。この態様において、タペットは、保留域に係合する戻り止め位置から、保留域に沿って滑動する解除位置に移動することができる。そのような動作を生じさせるには、解除要素が適宜作用を受けるだけでよい。解除要素が、例えばタペットの戻り止め位置から解除位置に枢動されるとすぐに、タペットと保留域との対応する傾斜面は互いに沿って滑動し、タペットが保留域に係合するその戻り止め位置から解除位置に移動する。
【００１２】
すでに説明したように、タペット、したがってその保留要素は、保留域に沿って回転式ラッチの解除位置に滑動する。解除要素のロック機構に対する無効な位置はこれに対応する。このことは、タペットが解除位置において保留域に沿って滑動している間、解除要素はロック機構に対して無効な位置にあるため、ロック機構と相互に作用し得ないことを意味する。
【００１３】
保留域は通常アーチ形状をしており、回転式ラッチの回転軸線からの距離に適合する半径を有し、１２０度未満、好ましくは９０度未満、さらになお好ましくは５０度の角度で延び広がっていてもよい。その結果、開いている回転式ラッチは、タペットがアーチ形状の保留域に沿って滑動している間は、解除要素が無効な位置に保持されていることを確実にする。タペットがアーチ形状の保留域を離れる、または離れることが可能になるとすぐに、回転式ラッチは、原則として閉じる位置または閉位置に移動することができる。一実施形態において、４７度の角度が用いられる。すなわち、そのアーチ形状の保留域は、回転式ラッチの外縁部に沿って４７度の角度領域で延び広がり、トリガレバーが確実に離れたままであることを確かなものにする。
【００１４】
回転式ラッチのそれぞれの閉動作は、一方でタペット、他方で保留域という、互いに沿って滑動する２つの傾斜面に対応する。このことは、回転式ラッチがその閉位置すなわち主要な施錠位置に到達するまで、回転式ラッチの閉動作の一部として生じる。そこで爪部も、回転式ラッチのそれぞれの主要な掛止端面に係合する。このことは、爪部に付置される阻止レバーによって確保されるものであり、この場合、バネの助力を得てその位置に枢動され、爪部を自身のバネの力に逆らって回転式ラッチの主要な戻り止め位置に移動させる。阻止レバーは次に解除要素に付置される。
【００１５】
ロック機構の主要な施錠位置に応じて、解除要素は阻止レバーを、爪部に支えられているその着座部から移動させる、または枢動させて離すことができる。その結果、爪部はバネの力によって回転式ラッチから係合を解かれる位置に移動される。同時に、解除要素の作用は、保留要素がそのタペットと共にそれまで着いていた保留域に対して係合する戻り止め位置から解除位置に移動され、保留域に沿って滑動することを確実にする。この動作位置から、回転式ラッチは、バネの助力を得てその閉位置からその開位置に、爪部と解除要素との影響を受けることなく自動的に移動することができる。その開位置において、回転式ラッチは、それぞれの自動車ドアが操作者によって容易に開けられるように、それまで保持されていたロックボルトを解除する。
【００１６】
このすべてが、信頼性の高いを設計を有する実施形態によって、最小限の構成要素しか必要とせず達成される。その解除要素と保留要素とは、通常、実質的に単一の装置または単一の部品として設計される。この解除要素と保留要素とを備える装置は、少なくとも部分的にプラスチックで製造することができる。同様に、回転式ラッチと保留域もまた単一の装置として設けることができる。この装置はプラスチックで製造しても金属で製造してもよい。
【００１７】
本発明によれば、回転式ラッチは、上記の閉じ工程の間およびその閉位置すなわち主要な施錠位置に到達する前にも、初期施錠位置に着く、あるいは着くことが可能である。この目的のために、爪部は、回転するように取り付ける態様で解除要素に接続された別のレバーを含んでもよい。この追加のレバーは、初期施錠位置に着いたとき、回転式ラッチ上の突出部と相互に作用することができるが、通常必要ではない。これらが本発明の主要な利点である。
【００１８】
以下に、一実施形態のみを示す図面を参照しながら、本発明をさらに詳細に説明する。
【図面の簡単な説明】
【００１９】
【図１】図１〜図４は本発明の自動車ドアロックを、ロック機構と、さまざまな動作位置でそのロック機構と相互に作用する要素までに省略して示す図。
【図２】同上
【図３】同上
【図４】同上
【図５】それぞれのタペットを有する保留要素を詳細に示す斜視図。
【発明を実施するための形態】
【００２０】
図面は、実質的に回転式ラッチ１と爪部２とからなるロック機構１、２を装備した基本構成の自動車ドアロックを示している。さらに、ロック機構１、２には解除要素３が備わっている。それに加え、この基本構成は、回転式ラッチ１の閉位置から開位置への障害のない開動作を確保する保留要素４を含んでいる。この保留要素４の効果は、図１に示される回転式ラッチ１の閉位置を、図３に示される開位置または図４に示されるような完全に開いた位置と比べると、特に明らかである。
【００２１】
本発明は、回転式ラッチ１の、ロック機構１、２に対してその無効な位置における開動作の間、解除要素３を保持する保留要素４によって、前述の回転式ラッチ１のその閉位置からその開位置への障害のない開動作を達成するものである。この場合、爪部２も無効である。本実施形態において、このことは、図１に示されるように、またこの図面のそれぞれの矢印で示されるように、爪部２に、回転軸線５に対して反時計方向に予め張力をかける（明確には図示されていない）バネによって確保される。それはすなわち、爪部２に、回転式ラッチ１との係合解除位置の方向に予張力がかかっていることを意味する。
【００２２】
図１に示されるロック機構１、２の閉位置すなわち回転式ラッチ１の主要な施錠位置において、爪部２に付置される阻止レバー６は、爪部２の端面７が回転式ラッチ１の主要なロック域８に支えられて収まり、そうして端面７が主要なロック域８すなわち主要な掛止端面を離れて図示された反時計方向に枢動しないことを確保する。そのような枢動動作は、解除要素３にも付置される前述の阻止レバー６によって阻止される。
【００２３】
この解除要素３はトリガレバー３であり、単一アームのレバーとして設計され、爪部２の軸線と同一の軸線上に、その共通の軸線すなわち回転軸線５を中心に枢動可能に取り付けられる。これに対し、解除要素すなわちトリガレバー３に付置される阻止レバー６は、独自の軸線すなわち回転軸線９を有し、その軸線を中心に枢動可能に阻止レバー６が取り付けられる。例示的実施形態において、阻止レバー６は、阻止レバー６にその回転軸線９に対して図１の他方の矢印で示されるように反時計方向に予張力をかける、例えばバネも含んでもよい。
【００２４】
本発明によれば、保留要素４は解除要素すなわちトリガレバー３に接続される。この保留要素４は、実質的に、長さ方向に延びるトリガレバー３に対してある角度をなして接続された延長アームである。例示的実施形態において、保留要素４すなわち各延長アームは、長さ方向に延びるトリガレバー３に対して直角またはほぼ直角に接続される。いずれの場合も、解除要素すなわちトリガレバー３と、保留要素４すなわち対応する延長アームもまた、実質的に単一の装置３、４を画定しており、全体的にまたは部分的にプラスチックで製造することができる。
【００２５】
保留要素４は保留域１０に付置される。例示的実施形態において、保留域１０は回転式ラッチ１上に設けられ、この場合は弓形のウェブとして設計される。このウェブは、金属の回転式ラッチ１のプラスチックケース内に形成することができる。保留域１０は、実質的に、回転式ラッチ１の回転軸線１１からの保留域１０の距離に適合された半径Ｒを有する。
【００２６】
保留要素４は、図５の詳細な斜視図に示されるように、保留域１０と相互に作用するタペット１２を含む。タペット１２と保留域１０とは、それぞれ対応する互いに適合された傾斜面１３、１４を含む。タペット１２は、全体的に、保留域１０に関連して２つの異なる基本位置を想定することができる。
【００２７】
図１に示される動作位置において、タペット１２は、例えば、保留域１０に係合する戻り止め位置にある。これに対し、図２および３に示される動作位置は、保留域１０に沿って滑動するタペット１２に対応する。これにはタペット１２の解除位置も含まれ、したがって保留要素４の解除位置すなわち解除要素３の解除位置は、保留要素４に誘導されることになる。この解除位置において、解除要素３はロック機構１、２から解除される。すなわち、無効な位置に置かれる。そのような解除位置は図４にも示されており、そこでは、一方のノーズ１２と、他方の保留域１０との間に相互作用は存在しない。解除要素３は、いかなる場合も、その解除位置においては爪部２にも回転式ラッチ１にも機械的に作用することはどうしても不可能である。
【００２８】
図１に示される主要な施錠位置からの移行中、すなわち、保留域１０に対して戻り止め位置にあるタペット１２が、図２および３に示されるように、タペット１２の保留域１０に対する解除位置に移行する間、２つの傾斜面１３、１４が滑動して互いに通過するような態様で、タペット１２が保留域１０に覆い掛かるまで、タペット１２は解除要素３の作用を受けている。その結果、図２および３に示されるように、タペット１２は保留域１０に沿って、保留域１０の外側または端面上を滑動することができる。この解除位置において、解除要素３が、ロック機構１、２を言うなれば持ち上げ外しているため、解除要素３とロック機構１、２との相互作用は不可能である。この場合、爪部２も回転式ラッチ１と相互に作用することは不可能である。すなわち、爪部２は、バネによってその軸線すなわち回転軸線５を中心に枢動され、回転式ラッチ１から離れるため、回転式ラッチ１は障害のない開動作を行うことができる。このことは、その回転式ラッチ１の開動作の間、保留要素４が解除要素３をロック機構１、２に対して無効な位置に保持しているという事実による。
【００２９】
図１に示されるような主要な施錠位置に続いて、主に図２および３に示される回転式ラッチ１の開動作が起こる。回転式ラッチ１が図４に示される動作位置に到達するとすぐに、タペット１２は保留域１０を離れる。すると解除要素３は、図３から図４への移り変わりで明らかなように、その軸線すなわち回転軸線５を中心に（バネの助力を得て）時計方向に枢動することが可能になる。
【００３０】
その結果、回転式ラッチ１は、後続の閉動作に向けて一種の準備が整った状態になる。図４に示される開位置または完全に開いた位置から始まると、回転式ラッチ１は、その図示された軸線すなわち回転軸線１１を中心に時計方向に枢動するような態様で閉じる方向に作用を受けて、図４に示される動作位置から始まり、保留要素４上のタペット１２が保留域１０に係合することが可能になる。図４に始まるこの閉動作の最後には、回転式ラッチ１は図１に示される位置すなわち主要な施錠位置に着く。
【００３１】
この動作の前に、爪部２上の任意の掛止レバー２’を、回転式ラッチ１上の突出部（図示せず）と相互に作用させてもよい。このことは、図４の完全に開いた位置から始まる前に、回転式ラッチ１が図１に示される完全に閉位置すなわち主要な施錠位置に到達し、前述の掛止レバー２’が回転式ラッチ１上のその突出部と相互に作用することを意味する。それはロック機構１、２の初期施錠位置と対応し、通常必要ではないが、完璧を期すためにのみ言及するものである。
【００３２】
回転式ラッチ１が、閉動作中すなわち回転軸線１１を中心にした時計方向の回転を通じて、図１に示される位置に到達するとすぐに、それまで回転式ラッチ１に沿って滑動していた爪部２またはその端面７は、回転式ラッチ１上の主要なロック域８と相互に作用することが可能になる。この場合、阻止レバー６は、実質的に反時計方向に予張力をかけられている爪部２が、前述の主要なロック域８に係合することを確実にする。この目的のために、阻止レバー６も、上記のように、バネによってその軸線９を中心に反時計方向に予張力をかけられる。
【００３３】
回転式ラッチ１が図１に示される位置に到達するとすぐに、爪部２が、阻止レバー６の助力を得て回転式ラッチ１の主要な施錠位置に、言うなれば押し込まれる。すなわち爪部２上の端面７が、阻止レバー６の助力を得て回転式ラッチ１上の主要なロック域８に向かって枢動する。こうして図１に示されるその対応する動作位置において、ロック機構１、２は主要な施錠位置に収まる。この位置を離れるには、図１と図２との間の移り変わりから明らかなように、まず最初に解除要素３がその回転軸線５を中心に反時計方向に枢動されなければならない。この工程の間、保留要素４またはそのタペット１２が保留域１０と、この保留域１０に対してその係合する戻り止め位置とを離れるだけではない。代わりに、解除要素３上の端面１５も、図１に示される主要な施錠位置において、端面１５に当接している阻止レバー６のピン１６が作用を受けることを確保する。
【００３４】
解除要素３上の端面１５は、図１から図２へ移り変わる間、阻止レバー６が阻止レバー６に付置されているバネの力に逆らって、その軸線９を中心に時計方向に動かされるような態様で、阻止レバー６のピン１６に実質的に作用する。その結果、阻止レバー６およびその延長アーム１７は、図１に示されるように延長アーム１７が最初主要な施錠位置で寄り掛かって当接していた爪部２上のタペット１８を離れる。結果的に延長アーム１７は爪部２上の凹部１９内に移動する。同時に、爪部は、バネの力によってその回転軸線５を中心に反時計方向に動かされることで、回転式ラッチ１から離れる。こうして図２に示される動作位置に到達する。
【００３５】
阻止レバー６上の延長アーム１７は、図４に示されるから動作位置から始まり、回転式ラッチ１が図１の主要な施錠位置に動かされるとき初めて、爪部２上の凹部１９を再び離れる。そこで阻止レバー６は、爪部２の端面７を主要なロック域８に押し込むことが可能になる。この工程の間、阻止レバー６の延長アーム１７は、延長アーム１７が爪部２のタペット１８から上がり、そのとき到達した図１に示される主要な施錠位置に爪部２を押し止めるまで、凹部１９に沿って摺動する。したがって、この位置において、爪部２はその回転軸線５を中心に反時計方向に枢動することはできない。
【００３６】
図示された自動車ドアロックは、自動車サイドドア用の自動車ドアロックとして設計することができる。しかしながら、この自動車ドアロックは、通常、後尾扉用のロックまたは後尾扉ロックである。したがって爪部２上に追加の掛止レバー２’は必要ない。それは、この場合２つの爪部のロック機構は設けられておらず、ロック機構１、２だけで、図１に示される主要な施錠位置と、図４に最終位置として示されるような明らかな開位置とに着けることを意味する。
【００３７】
すでにこれまで説明したように、解除要素３と保留要素４とは、実質的にプラスチックからなる従来の装置３、４と同一の製造工程の一部として製造することができる。それに対して追加の掛止レバー２’は、多くの場合、金属で製造される。掛止レバー２’は、通常、回転するように取り付ける態様で解除要素３に接続される。
【図１】
0006269985.tif 000002
【図２】
0006269985.tif 000003
【図３】
0006269985.tif 000004
【図４】
0006269985.tif 000005
【図５】
0006269985.tif 000006